(57)【要約】【課題】速やかにスライドショー表示を行うことができる画像再生装置を提供する。【解決手段】画像データを記憶する画像記憶部１８と、少なくとも一つの前記画像データから構成されるユニット画像データを生成するユニット画像生成部４と、前記ユニット画像を順次スライドショー表示する表示部８と、前記スライドショー表示において、前記ユニット画像の全画面または一部画面を、単位時間ごとに、異なるまたは同一のレイアウトで前記表示部に表示させる表示制御部１０と、前記ユニット画像の全画面が複数の連続する前記単位時間にわたって同一のレイアウトで前記表示部に表示される停止区間に移行した場合に所定の処理を行う処理部とを備える。【選択図】図１
2011229016.tif 000002
【特許請求の範囲】
【請求項１】
画像データを記憶する画像記憶部と、
少なくとも一つの前記画像データから構成されるユニット画像データを生成するユニット画像生成部と、
前記ユニット画像を順次スライドショー表示する表示部と、
前記スライドショー表示において、前記ユニット画像の全画面または一部画面を、単位時間ごとに、異なるまたは同一のレイアウトで前記表示部に表示させる表示制御部と、
前記ユニット画像の全画面が複数の連続する前記単位時間にわたって同一のレイアウトで前記表示部に表示される停止区間に移行した場合に所定の処理を行う処理部と
を備えることを特徴とする画像再生装置。
【請求項２】
前記処理部は、
前記ユニット画像データのデータ容量を縮小したダイジェスト画像データを生成するダイジェスト画像生成部と、
前記ダイジェスト画像データを記憶するデータ記憶部と
を備えることを特徴とする請求項１記載の画像再生装置。
【請求項３】
前記表示制御部は、前記ユニット画像を異なるレイアウトで前記表示部に表示させることを指示し、
前記処理部は、前記指示が行われた場合に、前記ユニット画像を複数の連続する前記単位時間において異なるレイアウトで前記表示部に表示させる描画区間に移行させることを特徴とする請求項１記載の画像再生装置。
【請求項４】
前記表示制御部は、前記ユニット画像を異なるレイアウトで前記表示部に表示させることを指示し、
前記処理部は、前記指示が行われた場合に、前記ユニット画像を複数の連続する前記単位時間において異なるレイアウトで前記表示部に表示させる描画区間に移行させることを特徴とする請求項２記載の画像再生装置。
【請求項５】
前記ダイジェスト画像データに基づくサムネイル画像を複数表示するサムネイル表示部と、
前記サムネイル画像を選択する画像選択部と
を備え、
前記画像選択部により一の前記サムネイル画像が選択された場合に、一の前記サムネイル画像に対応する前記ユニット画像から順次前記スライドショー表示を行うことを特徴とする請求項１または２記載の画像再生装置。
【請求項６】
前記ダイジェスト画像データに基づくダイジェスト画像を印刷指示する印刷指示部を備えることを特徴とする請求項２〜５の何れか一項に記載の画像再生装置。
【請求項７】
前記表示部は、前記ダイジェスト画像を表示することを特徴とする請求項２〜６の何れか一項に記載の画像再生装置。
【請求項８】
前記表示は、スライドショー表示であることを特徴とする請求項７記載の画像再生装置。
【請求項９】
複数の前記単位時間を前記停止区間として指定する指定部を備えることを特徴とする請求項１〜８の何れか一項に記載の画像再生装置。
【発明の詳細な説明】
【技術分野】
【０００１】
本発明は、画像再生装置に関するものである。
【背景技術】
【０００２】
スライドショー表示を行うことができる画像再生装置が知られている（例えば、特許文献１参照）。
【先行技術文献】
【特許文献】
【０００３】
【特許文献１】特開２００８−１６５００９号公報
【発明の概要】
【発明が解決しようとする課題】
【０００４】
しかし、上述の画像再生装置においては、画像に表示効果を持たせてスライドショー表示を行う場合などに、画像データを読み出す速度が遅くなり、スライドショー表示される一連の画像群をすべて表示するのに時間がかかるという問題があった。
【０００５】
本発明の目的は、速やかにスライドショー表示を行うことができる画像再生装置を提供することである。
【課題を解決するための手段】
【０００６】
本発明の画像再生装置は、画像データを記憶する画像記憶部と、少なくとも一つの前記画像データから構成されるユニット画像データを生成するユニット画像生成部と、前記ユニット画像を順次スライドショー表示する表示部と、前記スライドショー表示において、前記ユニット画像の全画面または一部画面を、単位時間ごとに、異なるまたは同一のレイアウトで前記表示部に表示させる表示制御部と、前記ユニット画像の全画面が複数の連続する前記単位時間にわたって同一のレイアウトで前記表示部に表示される停止区間に移行した場合に所定の処理を行う処理部とを備えることを特徴とする。
【発明の効果】
【０００７】
本発明の画像再生装置によれば、速やかにスライドショー表示を行うことができる。
【図面の簡単な説明】
【０００８】
【図１】実施の形態に係るデジタルカメラのシステム構成を示すブロック図である。
【図２】実施の形態に係るデジタルカメラにおいてスライドショー表示する画像を示す図である。
【図３】実施の形態に係るデジタルカメラのユニット画像リストを示す図である。
【図４】実施の形態に係るデジタルカメラにおいてスライドショー表示の状態を示す図である。
【図５】実施の形態に係るデジタルカメラにおいてスライドショー表示する画像の表示時間を示す図である。
【図６】実施の形態に係るデジタルカメラにおけるスライドショー表示処理を示すフローチャートである。
【図７】実施の形態に係るデジタルカメラのサムネイル表示処理を示すフローチャートである。
【図８】実施の形態に係るデジタルカメラにおけるダイジェスト画像の表示状態を示す図である。
【図９】実施の形態に係るデジタルカメラにおける表示状態を示す図である。
【発明を実施するための形態】
【０００９】
以下、図面を参照して実施の形態に係るデジタルカメラについて説明する。図１は、第１の実施の形態に係るデジタルカメラのシステム構成を示すブロック図である。デジタルカメラ２は、ＣＰＵ４を備え、ＣＰＵ４には操作部６、液晶表示部８の表示制御を行う表示制御部１０、被写体を撮像するためのＣＣＤまたはＣＭＯＳにより構成される撮像素子を有する撮像部１２、撮像部１２から出力された撮像信号を図示しないＡ／Ｄ変換部においてＡ／Ｄ変換することにより生成された画像データを一時的に記憶する記憶部１４、記憶部１４に記憶されている画像データにホワイトバランス調整、輪郭強調等の画像処理を行う画像処理部１６、後述するユニット画像データを記憶するユニット記憶部１７、画像データ等を記憶するメモリカード１８及びＵＳＢケーブルを介してプリンタやモニタなどのＵＳＢ機器が接続されるＵＳＢポート２０が接続されている。
【００１０】
ここで、操作部６には、それぞれ図示しない電源スイッチ、レリーズ指示を行うレリーズボタン、画像データに基づく画像の再生を指示する再生ボタン、液晶表示部８において画像をスライドショー表示させるスライドショーボタン、液晶表示部８に次の画像を表示させるページ送りボタン、液晶表示部８に前の画像を表示させるページ戻しボタン、画像データを複数のサムネイル画像として一覧表示させるサムネイル表示ボタン、液晶表示部８に表示されたサムネイル画像等の選択等を行うマルチセレクタ、マルチセレクタで選択したサムネイル画像等の決定等を行うＯＫボタン、指定された画像データに基づく画像等の印刷を指示するプリントボタン等が設けられている。
【００１１】
図２は、実施の形態に係るデジタルカメラ２においてスライドショー表示されるユニット画像を示す図である。ユニット画像は、スライドショー表示における一スライドに相当し、一つのユニット画像は単数または複数の画像データに基づく画像から構成される。例えば、「ユニット画像１」は、画像２８、画像３０及び画像３２、「ユニット画像２」は画像３６及び画像３８から構成される画像であり、「ユニット画像３」は画像４２から構成される画像である。
【００１２】
図３は、実施の形態に係るデジタルカメラ２のユニット画像リストを示す図である。ユニット画像リストには、ユニット画像を構成する画像の配置方向（画像方向）などが、スライドショー表示されるユニット画像ごとに記憶され、ユニット画像は、このユニット画像リストに基づいて構成される。例えば、「ユニット画像１」は、画像データファイル名「００１．ｊｐｇ」、「００２．ｊｐｇ」、「００３．ｊｐｇ」の画像データに基づく画像２８、画像３０、画像３２をユニット画像リストの所定の条件に基づいて組み合わせることにより構成される。即ち、画像データファイル名「００１．ｊｐｇ」の画像データに基づく画像２８については、画像サイズを「大」、画像方向を「横」、画像表示位置を「左中」として一画面内に配置するように構成される。
【００１３】
また、画像データファイル名「００２．ｊｐｇ」の画像データに基づく画像３０については、画像サイズを「小」、画像方向を「横」、画像表示位置を「右上」として一画面内に配置するように構成される。また、画像データファイル名「００３．ｊｐｇ」の画像データに基づく画像３２については、画像サイズを「小」、画像方向を「横」、画像表示位置を「右上」として一画面内に配置するように構成される。また、「ユニット画像２」及び「ユニット画像３」についても図３に示すように構成されている。なお、フレーム表示レイアウトについては後述する。
【００１４】
スライドショー表示において、これらのユニット画像が順次液晶表示部８に表示される。例えば、まず、「ユニット画像１」が液晶表示部８に表示され、「ユニット画像１」の表示が終了すると、次のユニット画像である「ユニット画像２」が液晶表示部８に表示される。「ユニット画像２」の表示が終了すると、次のユニット画像である「ユニット画像３」が液晶表示部８に表示される。なお、図２には「ユニット画像３」までを例示したが、「ユニット画像４」以降のユニット画像がある場合は、「ユニット画像４」以降のユニット画像についても順次表示が行われる。
【００１５】
ここで、スライドショー表示における一つのユニット画像は、所定の単位時間ごとに順次液晶表示部８に表示される。ここで、各単位時間に液晶表示部８に表示されるユニット画像の一場面をフレームという。例えば、図４には、「ユニット画像１」をスライドショー表示する際に、所定の単位時間ごとに表示される８個のフレームの場面が示されている。この場合、スライドショー表示において「ユニット画像１」は、「フレームｎ」、「フレームｎ＋１」、「フレームｎ＋２」、「フレームｎ＋３」、「フレームｎ＋４」、「フレームｎ＋５」、「フレームｎ＋６」、「フレームｎ＋７」の順に、それぞれのフレームの場面が所定の単位時間ごとに順次液晶表示部８に表示される。
【００１６】
また、所定の単位時間は、一つのユニット画像が液晶表示部８に表示される時間をフレーム数で除算した時間で表される。例えば、図４において「ユニット画像１」が全体を通してＮ秒間液晶表示部８に表示されるとすると、Ｎ秒をフレーム数である、例えば８で除算した時間（Ｎ／８秒）が各フレームの表示時間、即ち単位時間となる。
【００１７】
図５は、実施の形態に係るデジタルカメラ２の液晶表示部８に表示される「ユニット画像１」の各フレームの表示状態を時系列に示した図である。ここで、表示状態は、フレームが更新されることにより液晶表示部８に表示されたユニット画像が動いているように見えるか否かを示すものである。図５では、ユニット画像に動きが有る表示状態を「再生」、動きが無い表示状態を「停止」としている。
【００１８】
ここで、表示状態が「再生」である場合、ユニット画像に動きが有る各フレームの場面のレイアウトは、図３に示すユニット画像リストのフレーム表示レイアウトに基づいて構成される。例えば、表示状態が「再生」である場合に、ユニット画像を構成する画像が上から下にスライドするように各フレームの場面をレイアウトするには、フレーム表示レイアウトを「上→下」に設定する。また、ユニット画像を構成する画像を固定させておくには、フレーム表示レイアウトを「固定」に設定する。なお、フレーム表示レイアウトの詳細な処理内容は、図示しないプログラム記憶部に記憶されている。
【００１９】
図３の例では、「ユニット画像１」を構成する画像２８の画像データ（画像データファイル名「００１．ｊｐｇ」）のフレーム表示レイアウトが「上→下」に、画像３０の画像データ（画像データファイル名「００２．ｊｐｇ」）及び画像３２の画像データ（画像データファイル名「００３．ｊｐｇ」）のフレーム表示レイアウトが「固定」に設定されている。このようにフレーム表示レイアウトの設定を行った場合、図４に示すように、表示状態が「再生」であるフレームにおいては、フレームが更新されるごとに「ユニット画像１」を構成する画像２８が上から下にスライドするように表示される。即ち、表示状態が「再生」である「フレームｎ」の場面から「フレームｎ＋２」の場面にかけて、画像２８が上から液晶表示部８にスライドインし、「フレームｎ＋５」の場面から「フレームｎ＋７」の場面にかけて、画像２８が液晶表示部８の下方にスライドアウトするように表示される。なお、表示状態が「停止」である「フレームｎ＋３」の場面から「フレームｎ＋４」の場面にかけては、画像２８が停止して表示される。また、フレーム表示レイアウトが「固定」に設定されている画像３０及び画像３２は、いずれのフレームの場面においても停止して表示される。
【００２０】
また、図５の表における区間は、各フレームにおけるユニット画像データの取り扱い上の区分を示したものである。即ち、「描画区間」においては、ＣＰＵ４は、フレームが更新されるごとに、図示しないビデオＲＡＭ上に新たにユニット画像データの書込みを行い、「停止区間」においては、フレームが更新されてもユニット画像データの書込みを行わず前のフレームにおいて表示されていたフレームの場面の画像をそのまま表示する。また、「ダイジェスト画像データ保存区間」は「停止区間」に含まれる区間であるが、この区間においては、ユニット画像データからダイジェスト画像データを生成し、メモリカード１８に記憶する。なお、ダイジェスト画像データとは、ビデオＲＡＭ上に展開されている表示データのことである。このダイジェスト画像データは、大量にメモリカード１８に記憶させることができ、また速やかにメモリカード１８から読み出すことができため、主にサムネイル画像の一覧を液晶表示部８に表示する場合などに使用される。
【００２１】
区間について図４を例に説明すると、「ユニット画像１」において「フレームｎ＋１」の場面が終了し、「フレームｎ＋２」の場面に更新される場合、「フレームｎ＋２」の場面のレイアウトがフレーム表示レイアウトに基づいて行われ、ビデオＲＡＭ上に新たに「フレームｎ＋２」の場面のユニット画像データの書込みが行われる（図５「描画区間」）。次に、「フレームｎ＋２」の場面が終了し、「フレームｎ＋３」の場面に更新される場合、新たにレイアウト及びユニット画像データの書込みは行われず、ダイジェスト画像データの生成、記憶が行われる（図５「ダイジェスト画像データ保存区間」）。次に、「フレームｎ＋３」の場面が終了し、「フレームｎ＋４」の場面に更新される場合、新たにレイアウト及びユニット画像データの書込みは行われず、「フレームｎ＋３」の場面が引き続き「フレームｎ＋４」の場面として液晶表示部８に表示される（図５「停止区間」）。
【００２２】
次に、図６のフローチャートを参照して、実施の形態に係るデジタルカメラ２における画像再生処理について説明する。まず、スライドショーボタンが押下されるとスライドショー表示が開始される。即ち、ＣＰＵ４は、ユニット記憶部１７にユニット画像のユニット画像データが記憶されているか否かの判定を行う（ステップＳ１）。ユニット記憶部１７にユニット画像データが記憶されていない場合には、ユニット画像の準備処理を行う（ステップＳ２）。即ち、ＣＰＵ４は、メモリカード１８から図３に示すユニット画像リスト及び画像データを読み出してユニット画像データの生成を行い、生成したユニット画像データをユニット記憶部１７に記憶する。例えば、まず、図３に示すユニット画像リストに基づいて、ユニット画像データファイル名「ユニット画像１」のユニット画像データを構成する、画像データファイル名「００１．ｊｐｇ」、「００２．ｊｐｇ」、「００３．ｊｐｇ」の画像データを読み出して、これらの画像データに画像サイズの変更、回転等の所定の処理を行って一画面内に配置する処理を行い、図２に示す「ユニット画像１」のユニット画像データを生成し、ユニット記憶部１７に記憶する。
【００２３】
ユニット画像の準備処理が完了した場合（ステップＳ２）、またはユニット記憶部１７にユニット画像データが記憶されている場合（ステップＳ１：Ｙｅｓ）には、ＣＰＵ４は、フレームの区間が図５に示す「ダイジェスト画像データ保存区間」にあるか否かの判定を行う（ステップＳ３）。ここで、ステップＳ１〜ステップＳ１１の処理は、各フレームに対して行われる処理である。
【００２４】
ここで、現在表示を行っているフレームの区間が「ダイジェスト画像データ保存区間」にある場合には、ＣＰＵ４は、液晶表示部８に表示するユニット画像のユニット画像データからダイジェスト画像データを生成し、ダイジェスト画像データをメモリカード１８に記憶する（ステップＳ４）。例えば、図４に示す「ユニット画像１」の「フレームｎ＋３」の場面を液晶表示部８に表示している場合、図５に示すように「フレームｎ＋３」は「ダイジェスト画像データ保存区間」にあるため、ＣＰＵ４は、「ユニット画像１」のユニット画像データから「ユニット画像１」のダイジェスト画像データを生成し、Ｅｘｉｆ等の所定のファイル形式でメモリカード１８に記憶する。
【００２５】
ダイジェスト画像データをメモリカード１８に記憶した場合（ステップＳ４）、または現在表示しているフレームが「ダイジェスト画像データ保存区間」にない場合（ステップＳ３：Ｎｏ）には、ＣＰＵ４は、ページ送りボタンを操作することにより次のフレームに移行させるページ送り操作モードが設定されているか否かの判定を行う（ステップＳ５）。ページ送り操作モードが設定されている場合には、ＣＰＵ４は、フレームの区間が図５に示す「停止区間」にあるか否かの判定を行う（ステップＳ６）。「停止区間」にある場合には、ページ送りボタンによりページ送り操作が行われた否かの判定を行う（ステップＳ７）。例えば、図４に示す「ユニット画像１」の「フレームｎ＋４」の場面を液晶表示部８に表示している場合、図５に示すように「フレームｎ＋４」は「停止区間」にあるため、ページ送り操作が行われた否かの判定を行う。
【００２６】
ページ送りボタンが操作されなかった場合には、ステップＳ７の判定を繰り返す（ステップＳ７：Ｎｏ）。例えば、「フレームｎ＋４」の場面においてページ送りボタンが操作されない場合には、図５に示す「フレームｎ＋４」のＮ／８秒間が経過した後、図示しない「停止区間」である「フレームｎ＋４´」が追加され、「フレームｎ＋４´」においてページ送りボタンが操作されない場合にはさらに「フレームｎ＋４´´」が追加され、ページ送りボタンが操作されない限り「描画区間」に移行しない。
【００２７】
ページ送りボタンが操作された場合（ステップＳ７：Ｙｅｓ）、フレームが「停止区間」にない場合（ステップＳ６：Ｎｏ）、ページ送り操作モードが設定されていない場合（ステップＳ５：Ｎｏ）には、ＣＰＵ４は、フレームの区間が図５に示す「描画区間」にあるか否かの判定を行う（ステップＳ８）。「描画区間」にある場合には、ユニット画像をレイアウトに合わせて描画するレイアウト処理を行う（ステップＳ９）。即ち、図示しないビデオＲＡＭ上に新たにユニット画像データの書込みを行う。例えば、図４に示す「ユニット画像１」の「フレームｎ＋６」の場面を液晶表示部８に表示している場合、図５に示すように「フレームｎ＋６」は「描画区間」にあるため、ＣＰＵ４は、「フレームｎ＋７」の場面のレイアウトを図３に示すフレーム表示レイアウトに基づいて行い、ビデオＲＡＭ上に新たに「フレームｎ＋７」の場面のユニット画像データの書込みを行う。
【００２８】
次に、表示更新処理として、レイアウト処理を行ったユニット画像を新たに液晶表示部８に表示する（ステップＳ１０）。例えば、図４に示す「ユニット画像１」において、「フレームｎ＋５」の場面を液晶表示部８に表示している間に、「フレームｎ＋６」についてステップＳ１〜ステップＳ９の処理が行われたとする。この場合、「フレームｎ＋６」の場面は、ステップＳ１０の表示更新処理において液晶表示部８に表示される。
【００２９】
表示更新処理が完了した場合（ステップＳ１０）、フレームの区間が「描画区間」でない場合（ステップＳ８：Ｎｏ）には、ＣＰＵ４は、一つのユニット画像の再生を完了したか否かの判定を行う（ステップＳ１１）。例えば、「ユニット画像１」の再生を完了したしたか否かの判定を行う。一つのユニット画像の再生を完了していない場合は（ステップＳ１１：Ｎｏ）、表示していたフレームの次のフレームについてステップＳ１〜ステップＳ１１の処理を繰り返す。例えば、「ユニット画像１」において「フレームｎ＋５」の場面を表示していた場合には、「ユニット画像１」の再生を完了していないので、次のフレームである「フレームｎ＋６」についてステップＳ３〜ステップＳ１１の処理を行う。一方、一つのユニット画像の再生を完了した場合には（ステップＳ１１：Ｙｅｓ）、次のユニット画像データについての処理を行う。なお、一つのユニット画像データについてステップＳ１〜ステップＳ９の処理が行われている間に、次のユニット画像データの準備処理（ステップＳ２）が並行して行われる。
【００３０】
次に、図７のフローチャートを参照して、実施の形態に係るデジタルカメラ２におけるサムネイル表示処理について説明する。まず、サムネイル表示ボタンが押下されると、ＣＰＵ４は、メモリカード１８に記憶されたダイジェスト画像データに付加されて記憶されているサムネイル画像データをそれぞれ読み出し（ステップＳ２１）、図８に示すサムネイル一覧画面を液晶表示部８に表示する（ステップＳ２２）。
【００３１】
次に、ＣＰＵ４は、ページ送りボタンまたはページ戻しボタンの操作が行われたか否かの判定を行う（ステップＳ２３）。ページ送りボタンまたはページ戻しボタンの操作がなされた場合には、ＣＰＵ４は、次のページのサムネイル一覧画面を液晶表示部８に表示するために、新たにメモリカード１８からダイジェスト画像データに付加されて記憶されているサムネイル画像データの読み出しを行う（ステップＳ２１）。例えば、液晶表示部８には、図８に示すように１ページ目のサムネイル一覧画面、即ち、最初のダイジェスト画像データから１６個のダイジェスト画像データに基づくサムネイル一覧画面が表示されているとする（ステップＳ２２）。この場合において、操作者によりページ送りボタンが操作された場合に、ＣＰＵ４は、メモリカード１８からに次の１６個のダイジェスト画像データに付加されて記憶されているサムネイル画像データを読み出し（ステップＳ２１）、２ページ目のサムネイル一覧画面を液晶表示部８に表示する（ステップＳ２２）。
【００３２】
一方、ページ送りボタンまたはページ戻しボタンの操作が行わなかった場合には（ステップＳ２３：Ｎｏ）、サムネイル画像一覧の中から、サムネイル画像が選択されたか否かの判定を行う（ステップＳ２４）。即ち、操作者により、マルチセレクタを操作してカーソルを移動させることによりサムネイル画像一覧の中から所望の画像が選択されてＯＫボタンが押下されか否かの判定を行う。例えば、図８に示すように、当初「ユニット画像１」のサムネイル画像にカーソルが位置していた場合において、「ユニット画像２」のサムネイル画像にカーソルが移動されてＯＫボタンが押下されると、「ユニット画像２」のサムネイル画像が選択されたと判定する。
【００３３】
サムネイル画像が選択された場合（ステップＳ２４：Ｙｅｓ）、ＣＰＵ４は、スライドショーボタンが押下されたか否かの判定を行う（ステップＳ２５）。スライドショーボタンが押下された場合には、選択されているサムネイル画像に対応するユニット画像からスライドショー表示が行われる（ステップＳ２６）。例えば、「ユニット画像２」のサムネイル画像が選択された状態でスライドショーボタンが押下されると、ＣＰＵ４は、メモリカード１８から図３に示すユニット画像リストを読み出し、ユニット画像データファイル名「ユニット画像２」における画像データファイル名「００４．ｊｐｇ」、「００５．ｊｐｇ」の画像データを読み出して「ユニット画像２」のユニット画像データを生成し、ユニット記憶部１７に記憶する（図６ステップＳ２）。次に、ユニット記憶部１７から「ユニット画像２」のユニット画像データを読み出して、「ユニット画像２」におけるそれぞれのフレームの場面を順次液晶表示部８に表示し、「ユニット画像２」の再生が完了すると、以降「ユニット画像３」、「ユニット画像４」のように次のユニット画像におけるフレームの場面を順次液晶表示部８に表示する。また、スライドショー表示が終わると一連の処理が終了する。
【００３４】
一方、スライドショーボタンが押下されなかった場合には、プリントボタンが押下されたか否かの判定が行われる（ステップＳ２７）。プリントボタンが押下された場合には、ＣＰＵ４は、メモリカード１８から選択されているサムネイル画像に対応するダイジェスト画像のダイジェスト画像データを読み出し、ダイジェスト画像データをＵＳＢポート２０からＵＳＢケーブルを介してプリンタに送信し、プリンタにおいてダイジェスト画像を印刷する指示を行う（ステップＳ２８）。例えば、図８に示すように「ユニット画像２」のサムネイル画像が選択されている状態でプリントボタンが押下されると、ＣＰＵ４は、メモリカード１８から「ユニット画像２」のダイジェスト画像データを読み出し、ＵＳＢポート２０からＵＳＢケーブルを介してプリンタに送信し、プリンタにおいて「ユニット画像２」のダイジェスト画像データに基づくダイジェスト画像の印刷を行う。
【００３５】
次に、ＣＰＵ４は、終了指示がなされたか否かの判定を行う（ステップＳ２９）。終了指示がなされた場合には、一連の処理を終了し、終了指示がなされなかった場合には、ステップＳ２５〜ステップＳ２９の処理を繰り返す。
【００３６】
本実施の形態に係るデジタルカメラ２によれば、次のユニット画像の準備処理を並行して行うため、速やかにユニット画像のスライドショー表示を行うことができる。また、ページ送り操作モードを設定することにより、操作者の意志によりスライドショー表示を進行させることができる。また、ダイジェスト画像データに基づくサムネイル画像のサムネイル一覧画面を液晶表示部８に表示することにより、どのようなユニット画像のスライドショー表示を行うことができるのかを確認することができる。また、サムネイル一覧画面において、所望のサムネイル画像を選択することにより、選択したサムネイル画像に対応するユニット画像から順次前記スライドショー表示を行うことができる。
【００３７】
なお、上述の実施の形態においては、ダイジェスト画像データに基づくサムネイル画像を液晶表示部８に表示しているが、ダイジェスト画像を表示できるようにしてもよい。また、ダイジェスト画像をスライドショー表示できるようにしてもよい。
【００３８】
また、上述の実施の形態においては、メモリカード１８から画像データを読み出し、画像データからユニット画像データを生成し、ユニット画像データからダイジェスト画像データを生成しているが、メモリカード１８からダイジェスト画像データを読み出し、ダイジェスト画像データからユニット画像データを生成し、さらにダイジェスト画像データを生成してもよい。例えば、メモリカード１８から「ユニット画像１」〜「ユニット画像３」のダイジェスト画像データを読み出し、このダイジェスト画像データからユニット画像データを生成し、さらにダイジェスト画像データを生成した場合には、図９に示すような画像のダイジェスト画像データを生成することができる。
【００３９】
また、上述の実施の形態の図５の区間には停止区間が表記されているが、停止区間は操作者により指定するようにしてもよい。例えば、モードメニューとして区間指定モードを設け、区間指定モードにおいてマルチセレクタ等により停止区間を指定できるようにしてもよい。
【００４０】
また、上述の実施の形態においては、「停止区間」においてページ送りボタンによるページ送り操作が行われた否かの判定を行っているが、ページ戻しボタンによるページ戻し操作が行われた否かの判定を行ってもよい。これにより、液晶表示部８の表示を前のフレームの場面に戻すことができる。
【００４１】
また、上述の実施の形態においては、メモリカード１８から画像データを読み出してユニット画像データの生成を行っているが、画像データは、撮像部１２において撮像された画像の画像データであってもよい。この場合、画像データはＥｘｉｆ等の所定のファイル形式でメモリカード１８に記憶される。また、人物、風景、色彩等の種別ごと、または撮像日時ごとにグループ化された画像ファイルをメモリカード１８に記憶してもよい。この場合には、画像ファイルごとにスライドショー表示を行うことができる。
【００４２】
また、上述の実施の形態において、液晶表示部８は画像を表示する機能を有しているが、タッチパネル機能を有してもよい。例えば、タッチセンサを液晶表示部８に配置し、液晶表示部８に操作メニューのアイコンを表示し、液晶表示部８に表示されているアイコンを指で触れることにより操作部６において行う操作を行えるようにしてもよい。これにより、操作を分かりやすく、簡単にすることができる。
【００４３】
また、上述の実施の形態においては、ＵＳＢケーブルを介してデジタルカメラ４とプリンタとの間の通信を行っているが、ワイヤレスＵＳＢ通信を用いてもよく、またＵＳＢ通信以外の他の通信手段を用いてもよい。これらの手段により、デジタルカメラ４からプリンタへ画像データ等の送信をすることができる。
【００４４】
また、上述の実施の形態においては、液晶表示部８に画像の表示を行っているが、外部のモニタに表示するようにしてもよい。例えば、ＵＳＢポート２０からＵＳＢケーブルを介してデジタルカメラ４とデジタルフォトフレームを接続し、デジタルフォトフレームの表示画面にスライドショー表示等を行うようにしてもよい。なお、ワイヤレスＵＳＢ通信を用いてもよく、またＵＳＢ通信以外の他の通信手段を用いてもよい。また、ダイジェスト画像データに基づく画像をデジタルフォトフレームの表示画面にさせる場合には、メモリカード１８を着脱することにより直接メモリカードからデータを取得するようにしてもよい。
【００４５】
また、上述の実施の形態においては、画像再生装置としてデジタルカメラ２を例に説明したが、デジタルフォトフレーム等の他の画像再生装置においても、上述の実施の形態におけるスライドショー表示を行う機能、ユニット画像データを生成する機能及びダイジェスト画像データを生成する機能を備えることにより本発明を適用することができる。
【符号の説明】
【００４６】
２…デジタルカメラ、４…ＣＰＵ、６…操作部、８…液晶表示部、１０…表示制御部、１２…撮像部、１４…記憶部、１６…画像処理部、１７…ユニット記憶部、１８…メモリカード、２０…ＵＳＢポート。
【図１】
2011229016.tif 000003
【図２】
2011229016.tif 000004
【図３】
2011229016.tif 000005
【図４】
2011229016.tif 000006
【図５】
2011229016.tif 000007
【図６】
2011229016.tif 000008
【図７】
2011229016.tif 000009
【図８】
2011229016.tif 000010
【図９】
2011229016.tif 000011